(57)【要約】無線通信における端末がセルへのアクセスを実行する方法及びこれをサポートする装置が提供される。前記方法は、第１のシステムに対するアクセス制御情報を前記第１のシステムから受信するステップと、第２のシステムの前記セルにキャンプオンするステップと、前記第１のシステムに対するアクセス制御情報を前記第２のシステムに対するアクセス制御情報にマッピングするステップと、前記マッピングされた第２のシステムに対するアクセス制御情報に基づいて、前記第２のシステムの前記セルへのアクセスを実行するステップと、を含むことができる。【選択図】図１１
2020519041.tif 000002
【特許請求の範囲】
【請求項１】
無線通信における端末がセルにアクセス試行を実行する方法において、
ＮＲシステムに対するアクセスカテゴリに基づいて接続の確立をトリガするステップと、
前記接続の確立が前記ＮＲシステムに対するアクセスカテゴリに基づいてトリガされる場合、前記ＮＲシステムに対するアクセスカテゴリをＬＴＥシステムに対する確立原因にマッピングするステップと、
前記セルにアクセス試行を実行するステップと、
前記ＮＲシステムに対するアクセスカテゴリからマッピングされた前記確立原因を基地局に送信するステップと、を含む、方法。
【請求項２】
前記セルへのアクセス試行は、前記確立原因に基づいて実行される、請求項１に記載の方法。
【請求項３】
前記セルへのアクセス試行は、前記ＮＲシステムに対するアクセスカテゴリに基づいて実行される、請求項１に記載の方法。
【請求項４】
前記セルへのアクセス試行が前記端末に対して許容される場合、前記確立原因は、基地局に送信される、請求項１に記載の方法。
【請求項５】
前記ＮＲシステムに対するアクセスカテゴリを決定するステップをさらに含む、請求項１に記載の方法。
【請求項６】
前記ＮＲシステムに対するアクセスカテゴリを前記ＬＴＥシステムに対する確立原因にマッピングするためのマッピングテーブルを構成するステップをさらに含む、請求項１に記載の方法。
【請求項７】
前記ＮＲシステムに対するアクセスカテゴリは、前記構成されたマッピングテーブルに基づいて、前記端末の非アクセス層（ＮＡＳ）により、前記ＬＴＥシステムに対する確立原因にマッピングされる、請求項６に記載の方法。
【請求項８】
前記マッピングテーブルは、前記端末により事前構成される、請求項６に記載の方法。
【請求項９】
前記マッピングテーブルは、前記ＮＲシステムまたは前記ＬＴＥシステムから受信される、請求項６に記載の方法。
【請求項１０】
前記ＮＲシステムまたは前記ＬＴＥシステムから受信される前記マッピングテーブルは、前記端末により事前構成される前記マッピングテーブルより高い優先順位を有する、請求項９に記載の方法。
【請求項１１】
前記ＮＲシステムに対するアクセスカテゴリは、前記端末の非アクセス層（ＮＡＳ）により前記端末の無線リソース制御（ＲＲＣ）層に提供される、請求項１に記載の方法。
【請求項１２】
前記アクセスカテゴリからマッピングされる前記確立原因は、前記端末の非アクセス層（ＮＡＳ）により前記端末の無線リソース制御（ＲＲＣ）層に提供される、請求項１に記載の方法。
【請求項１３】
禁止ファクタ、禁止時間またはビットマップのうち少なくとも一つを含む禁止情報を前記基地局から受信するステップをさらに含む、請求項１に記載の方法。
【請求項１４】
前記端末は、前記ＮＲシステムのコアネットワークと接続される、請求項１に記載の方法。
【請求項１５】
無線通信におけるセルにアクセス試行を実行する端末において、
前記端末は、
メモリと、
送受信機と、
前記メモリ及び前記送受信機と接続されたプロセッサと、を含み、
前記プロセッサは、
ＮＲシステムに対するアクセスカテゴリに基づいて接続の確立をトリガし、
前記接続の確立が前記ＮＲシステムに対するアクセスカテゴリに基づいてトリガされる場合、前記ＮＲシステムに対するアクセスカテゴリをＬＴＥシステムに対する確立原因にマッピングし、
前記セルにアクセス試行を実行し、
前記送受信機が前記ＮＲシステムに対するアクセスカテゴリからマッピングされた前記確立原因を基地局に送信することを制御するように構成される、端末。
【発明の詳細な説明】
【技術分野】
【０００１】
本発明は、無線通信システムに関し、より具体的には、端末がセルへのアクセスを実行する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）のシステムと呼ばれている。
【発明の概要】
【発明が解決しようとする課題】
【０００３】
一方、新しい５Ｇ  ＮＲアクセスカテゴリがアクセス制御に適用される。新しい５Ｇ  ＮＲアクセスカテゴリが適用されるにつれて、４Ｇ  ＬＴＥアクセス制御メカニズムをＮＲに何らの修正なしで適用することはできない。例えば、ＵＥがＥ−ＵＴＲＡを介して５Ｇ−ＣＮに接続される場合、ＵＥのＮＡＳ層及びＵＥが接続されたＡＭＦは、ＮＲ  ＮＡＳシグナリングメッセージを交換する。５Ｇ−ＣＮに接続されたサービング基地局（ｅＮＢ）は、向上したＬＴＥシグナリングメッセージをサポートし、またはＬＴＥメッセージのみをサポートする必要がある。後者は、ＵＥ及びｅＮＢのＲＲＣ層がレガシーＬＴＥ  ＲＲＣメッセージを交換することができるという点でｅＮＢサービング５Ｇ−ＣＮの修正の影響（ｍｏｄｉｆｉｃａｔｉｏｎ  ｉｍｐａｃｔ）を最小化するために好まれる。ここで、ＵＥにおける問題は、ＮＡＳ層の動作がＮＲプロトコルに基づいており、ＲＲＣ層の動作がＬＴＥプロトコルに基づいていることである。４Ｇ  ＬＴＥのＲＲＣ層は、アクセス制御のためにＮＡＳ層でのＡＣＤＣカテゴリ、確立原因（ｅｓｔａｂｌｉｓｈｍｅｎｔ  ｃａｕｓｅ）、呼類型（ｃａｌｌ  ｔｙｐｅ）、またはＥＡＢ指示のようなパラメータを要求することができる。したがって、Ｅ−ＵＴＲＡを介して５Ｇ−ＮＡＳに接続されたＵＥは、アクセスカテゴリを一つ以上のＬＴＥアクセス制御パラメータに変換する互換性動作（ｃｏｍｐａｔｉｂｌｅ  ｏｐｅｒａｔｉｏｎ）のための機能を要求することができる。以下、本発明の実施例によって、ＵＥがセルへのアクセスを実行する方法及びこれをサポートする装置を詳細に説明する。
【課題を解決するための手段】
【０００４】
一実施例において、無線通信における端末がセルへのアクセスを実行する方法が提供される。前記方法は、第１のシステムに対するアクセス制御情報を前記第１のシステムから受信するステップと、第２のシステムの前記セルにキャンプオンするステップと、前記第１のシステムに対するアクセス制御情報を前記第２のシステムに対するアクセス制御情報にマッピングするステップと、前記マッピングされた第２のシステムに対するアクセス制御情報に基づいて、前記第２のシステムの前記セルへのアクセスを実行するステップと、を含む。
【０００５】
他の実施例において、無線通信におけるセルへのアクセスを実行する端末が提供される。前記端末は、メモリと、送受信機と、前記メモリ及び前記送受信機と接続されたプロセッサと、を含み、前記プロセッサは、前記送受信機が第１のシステムに対するアクセス制御情報を前記第１のシステムから受信するように制御し、第２のシステムの前記セルにキャンプオンし、前記第１のシステムに対するアクセス制御情報を前記第２のシステムに対するアクセス制御情報にマッピングし、及び前記マッピングされた第２のシステムに対するアクセス制御情報に基づいて、前記第２のシステムの前記セルへのアクセスを実行する。
【発明の効果】
【０００６】
ＵＥ、基地局及びコアネットワーク間のシグナリング修正なしで、ＵＥは、アクセス制御を実行することができる。
【図面の簡単な説明】
【０００７】
【図１】ＬＴＥシステム構造を示す。
【図２】制御プレーンに対するＬＴＥシステムの無線インターフェースプロトコルを示す。
【図３】ユーザプレーンに対するＬＴＥシステムの無線インターフェースプロトコルを示す。
【図４】５Ｇシステムアーキテクチャを示す。
【図５】ＮＧ−ＲＡＮと５ＧＣとの間の機能的分離を示す。
【図６】アクセス禁止チェックの例を示す。
【図７】データ通信のためのアプリケーション特定混雑制御（ＡＣＤＣ）に対するアクセス禁止チェックの例を示す。
【図８】本発明の実施例によってＥ−ＵＴＲＡを介して５Ｇ−ＣＮに接続されたＵＥに対するアクセス制御メカニズムを示すブロック図である。
【図９】本発明の一実施例によってＮＲ無線アクセス（ＮＲ  Ｒａｄｉｏ  Ａｃｃｅｓｓ、ＮＲ）を介して４Ｇ−ＣＮに接続されたＵＥに対するアクセス制御メカニズムを示すブロック図である。
【図１０】本発明の一実施例に係るＵＥのアクセス制御メカニズムを示す流れ図である。
【図１１】ＵＥが本発明の一実施例によってセルへのアクセスを実行する方法を示すブロック図である。
【図１２】本発明の実施例が具現化される無線通信システムのブロック図である。
【発明を実施するための形態】
【０００８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現化されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現化されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【０００９】
説明を明確にするために、ＬＴＥ−Ａを中心に記述するが、本発明の技術的思想がこれに制限されるものではない。
【００１０】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１１】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１２】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御プレーン（ｃｏｎｔｒｏｌ  ｐｌａｎｅ）とユーザプレーン（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１３】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１４】
ＥＰＣは、制御プレーンの機能を担当するＭＭＥ（ｍｏｂｉｌｉｔｙ  ｍａｎａｇｅｍｅｎｔ  ｅｎｔｉｔｙ）、ユーザプレーンの機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと接続される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１５】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及びレート強制、ＡＰＮ−ＡＭＢＲに基づくＤＬレート強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１６】
ユーザトラフィック送信または制御トラフィック送信のためのインターフェースが使われることができる。端末１０及びｅＮＢ２０は、Ｕｕインターフェースにより接続されることができる。ｅＮＢ２０は、Ｘ２インターフェースにより相互に接続されることができる。隣接したｅＮＢ２０は、Ｘ２インターフェースによる網型ネットワーク構造を有することができる。ｅＮＢ２０は、Ｓ１インターフェースによりＥＰＣと接続されることができる。ｅＮＢ２０は、Ｓ１−ＭＭＥインターフェースによりＥＰＣと接続されることができ、Ｓ１−ＵインターフェースによりＳ−ＧＷと接続されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１７】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で接続移動性制御機能を実行することができる。前記言及のように、ゲートウェイ３０は、ＥＰＣでページング開始、ＬＴＥアイドル状態管理、ユーザプレーンの暗号化、ＳＡＥベアラ制御及びＮＡＳシグナリングの暗号化と完全性保護機能を実行することができる。
【００１８】
図２は、制御プレーンに対するＬＴＥシステムの無線インターフェースプロトコルを示す。図３は、ユーザプレーンに対するＬＴＥシステムの無線インターフェースプロトコルを示す。
【００１９】
端末とＥ−ＵＴＲＡＮとの間の無線インターフェースプロトコルの層は、通信システムで広く知られたＯＳＩ（ｏｐｅｎ  ｓｙｓｔｅｍ  ｉｎｔｅｒｃｏｎｎｅｃｔｉｏｎ）モデルの下位３層に基づいてＬ１（第１の層）、Ｌ２（第２の層）及びＬ３（第３の層）に区分される。端末とＥ−ＵＴＲＡＮとの間の無線インターフェースプロトコルは、水平的に物理層、データリンク層（ｄａｔａｌｉｎｋ  ｌａｙｅｒ）、及びネットワーク層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御プレーン（ｃｏｎｔｒｏｌ  ｐｌａｎｅ）とデータ情報送信のためのプロトコルスタックであるユーザプレーン（ｕｓｅｒ  ｐｌａｎｅ）とに区分されることができる。無線インターフェースプロトコルの層は、端末とＥ−ＵＴＲＡＮに対（ｐａｉｒ）で存在でき、これはＵｕインターフェースのデータ送信を担当することができる。
【００２０】
物理層（ＰＨＹ；ｐｈｙｓｉｃａｌ  ｌａｙｅｒ）は、Ｌ１に属する。物理層は、物理チャネルを介して上位層に情報送信サービスを提供する。物理層は、上位層であるＭＡＣ（ｍｅｄｉａ  ａｃｃｅｓｓ  ｃｏｎｔｒｏｌ）層とトランスポートチャネル（ｔｒａｎｓｐｏｒｔ  ｃｈａｎｎｅｌ）を介して接続される。物理チャネルは、トランスポートチャネルにマッピングされる。トランスポートチャネルを介してＭＡＣ層と物理層との間にデータが送信されることができる。互いに異なる物理層間、即ち、送信機の物理層と受信機の物理層との間のデータは、物理チャネルを介して無線リソースを利用して送信されることができる。物理層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２１】
物理層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２２】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定のシンボルの特定の副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２３】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２４】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期アクセスに使われる。
【００２５】
Ｌ２に属するＭＡＣ層は、論理チャネル（ｌｏｇｉｃａｌ  ｃｈａｎｎｅｌ）を介して上位層であるＲＬＣ（ｒａｄｉｏ  ｌｉｎｋ  ｃｏｎｔｒｏｌ）層にサービスを提供する。ＭＡＣ層は、複数の論理チャネルから複数のトランスポートチャネルへのマッピング機能を提供する。また、ＭＡＣ層は、複数の論理チャネルから単数のトランスポートチャネルへのマッピングによる論理チャネル多重化機能を提供する。ＭＡＣ副層は、論理チャネル上のデータ送信サービスを提供する。
【００２６】
論理チャネルは、送信される情報の種類によって、制御プレーンの情報伝達のための制御チャネルとユーザプレーンの情報伝達のためのトラフィックチャネルとに分けられる。即ち、論理チャネルタイプのセットは、ＭＡＣ層により提供される他のデータ送信サービスのために定義される。論理チャネルは、トランスポートチャネルの上位に位置してトランスポートチャネルにマッピングされる。
【００２７】
制御チャネルは、制御プレーンの情報伝達のみのために使われる。ＭＡＣ層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２８】
トラフィックチャネルは、ユーザプレーンの情報伝達のみのために使われる。ＭＡＣ層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００２９】
論理チャネルとトランスポートチャネルとの間のアップリンク接続は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク接続は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３０】
ＲＬＣ層は、Ｌ２に属する。ＲＬＣ層の機能は、下位層がデータの送信に適するように無線セクションで上位層から受信されたデータの分割／連結によるデータの大きさ調整を含む。無線ベアラ（ＲＢ；ｒａｄｉｏ  ｂｅａｒｅｒ）が要求する多様なＱｏＳを保証するために、ＲＬＣ層は、透過モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ層の機能は、ＭＡＣ層内部の機能ブロックで具現化されることができ、このとき、ＲＬＣ層は、存在しないこともある。
【００３１】
ＰＤＣＰ（ｐａｃｋｅｔ  ｄａｔａ  ｃｏｎｖｅｒｇｅｎｃｅ  ｐｒｏｔｏｃｏｌ）層は、Ｌ２に属する。ＰＤＣＰ層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ層は、セキュリティ機能を提供する。セキュリティ機能は、第３者の検査を防止する暗号化及び第３者のデータ操作を防止する完全性保護を含む。
【００３２】
ＲＲＣ（ｒａｄｉｏ  ｒｅｓｏｕｒｃｅ  ｃｏｎｔｒｏｌ）層は、Ｌ３に属する。Ｌ３の最も下段部分に位置するＲＲＣ層は、制御プレーンでのみ定義される。ＲＲＣ層は、端末とネットワークとの間の無線リソースを制御する役割を実行する。そのために、端末とネットワークは、ＲＲＣ層を介してＲＲＣメッセージを交換する。ＲＲＣ層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定のサービスを提供するために無線プロトコル層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御プレーンでＲＲＣメッセージを送信する通路として使われ、ＤＲＢは、ユーザプレーンでユーザデータを送信する通路として使われる。
【００３３】
図２を参照すると、ＲＬＣ及びＭＡＣ層（ネットワーク側でｅＮＢで終了）は、スケジューリング、ＡＲＱ及びＨＡＲＱのような機能を実行することができる。ＲＲＣ層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３４】
図３を参照すると、ＲＬＣ及びＭＡＣ層（ネットワーク側でｅＮＢで終了）は、制御プレーンでの機能と同じ機能を実行することができる。ＰＤＣＰ層（ネットワーク側でｅＮＢで終了）は、ヘッダ圧縮、完全性保護及び暗号化のようなユーザプレーン機能を実行することができる。
【００３５】
図４は、５Ｇシステムアーキテクチャを示す。
【００３６】
図４を参照すると、次世代無線アクセスネットワーク（ＮＧ−ＲＡＮ）ノードは、ＵＥに対してＮＲ無線アクセス（ＮＲ）ユーザプレーン及び制御プレーンプロトコル終端を提供するｇＮＢであり、またはＵＥに対して進化したユニバーザル地上無線アクセス（Ｅ−ＵＴＲＡ）ユーザプレーン及び制御プレーンプロトコル終端を提供するｎｇ−ｅＮＢである。ｇＮＢ及びｎｇ−ｅＮＢは、Ｘｎインターフェースを介して互いに相互接続されることができる。また、ｇＮＢ及びｎｇ−ｅＮＢは、ＮＧインターフェースを介して５Ｇコアネットワーク（５ＧＣ）に接続されることができ、より具体的には、ＮＧ−Ｃインターフェースを介してＡＭＦ（アクセス及び移動性管理機能）に接続されることができ、ＮＧ−Ｕインターフェースを介してＵＰＦ（ユーザプレーン機能）に接続されることができる。ＮＧ−Ｃは、ＮＧ−ＲＡＮと５ＧＣとの間の制御プレーンインターフェースであり、ＮＧ−Ｕは、ＮＧ−ＲＡＮと５ＧＣとの間のユーザプレーンインターフェースである。
【００３７】
図５は、ＮＧ−ＲＡＮと５ＧＣとの間の機能的分離を示す。
【００３８】
図５を参照すると、ｇＮＢ及びｎｇ−ｅＮＢは、下記の機能をホストすることができる。
【００３９】
−無線リソース管理のための機能：無線ベアラ制御、無線許可制御、接続移動性制御、アップリンク及びダウンリンク（スケジューリング）の全てでＵＥに対するリソースの動的割当；
【００４０】
−データのＩＰヘッダ圧縮、暗号化及び完全性保護；
【００４１】
−ＡＭＦへのルーティングがＵＥにより提供された情報から決定されることができない場合、ＵＥアタッチ（ａｔｔａｃｈ）の時、ＡＭＦの選択；
【００４２】
−ユーザプレーンデータをＵＰＦでルーティング；
【００４３】
−ＡＭＦに向かう制御プレーン情報のルーティング；
【００４４】
−接続設定及び解除；
【００４５】
−ページングメッセージのスケジューリング及び送信；
【００４６】
−（ＡＭＦまたはＯ＆Ｍから発生する）システム放送情報のスケジューリング及び送信；
【００４７】
−移動性及びスケジューリングのための測定及び測定報告構成；
【００４８】
−アップリンクでの送信レベルパケットマーキング；
【００４９】
−セッション管理；
【００５０】
−ネットワークスライシングのサポート；
【００５１】
−ＱｏＳフロー管理及びデータ無線ベアラへのマッピング；
【００５２】
−ＲＲＣ＿ＩＮＡＣＴＩＶＥ状態にあるＵＥのサポート；
【００５３】
−ＮＡＳメッセージの分配機能；
【００５４】
−無線アクセスネットワーク共有；
【００５５】
−二重接続性；
【００５６】
−ＮＲとＥ−ＵＴＲＡとの間の緊密な連動（ｉｎｔｅｒｗｏｒｋｉｎｇ）。
【００５７】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００５８】
−ＮＡＳシグナリング終端
【００５９】
−ＮＡＳシグナリングセキュリティ；
【００６０】
−ＡＳセキュリティ制御；
【００６１】
−３ＧＰＰアクセスネットワーク間の移動性のためのインターＣＮノードシグナリング；
【００６２】
−アイドル（ｉｄｌｅ）モードＵＥ到達可能性（ページング再送信の制御及び実行を含む）；
【００６３】
−登録領域管理；
【００６４】
−イントラシステム及びインターシステム移動性のサポート；
【００６５】
−アクセス認証；
【００６６】
−ローミング権限のチェックを含むアクセス認証；
【００６７】
−移動性管理制御（加入及びポリシー）；
【００６８】
−ネットワークスライシングのサポート；
【００６９】
−ＳＭＦ選択。
【００７０】
ＵＰＦ（Ｕｓｅｒ  Ｐｌａｎｅ  Ｆｕｎｃｔｉｏｎ）は、下記の主要機能をホストすることができる。
【００７１】
−イントラ／インターＲＡＴ移動性のためのアンカーポイント（適用可能な場合）；
【００７２】
−データネットワークに対する相互接続の外部ＰＤＵセッションポイント；
【００７３】
−パケットルーティング及びフォワーディング；
【００７４】
−パケット検査（ｉｎｓｐｅｃｔｉｏｎ）及びポリシー規則適用（ｅｎｆｏｒｃｅｍｅｎｔ）のユーザプレーン部分；
【００７５】
−トラフィック使用報告；
【００７６】
−データネットワークにトラフィックフローをルーティングすることをサポートするアップリンク分類子；
【００７７】
−マルチホームＰＤＵセッションをサポートする分岐ポイント（ｂｒａｎｃｈｉｎｇ  ｐｏｉｎｔ）；
【００７８】
−ユーザプレーンに対するＱｏＳ取扱、例えば、パケットフィルタリング、ゲーティング、ＵＬ／ＤＬレート執行（ｒａｔｅ  ｅｎｆｏｒｃｅｍｅｎｔ）；
【００７９】
−アップリンクトラフィック検証（ＱｏＳフローマッピングに対するＳＤＦ）；
【００８０】
−ダウンリンクパケットバッファリング及びダウンリンクデータ通知トリガリング；
【００８１】
セッション管理機能（ＳＭＦ）は、下記の主要機能をホストすることができる。
【００８２】
−セッション管理；
【００８３】
−ＵＥ  ＩＰアドレス割当及び管理；
【００８４】
−ＵＰ機能の選択及び制御；
【００８５】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００８６】
−ポリシー執行及びＱｏＳの制御部分；
【００８７】
−ダウンリンクデータ通知。
【００８８】
図６は、アクセス禁止チェック（ａｃｃｅｓｓ  ｂａｒｒｉｎｇ  ｃｈｅｃｋ）の例を示す。
【００８９】
図６を参照すると、ネットワークまたは基地局の過負荷（ｏｖｅｒｌｏａｄ）または混雑状態で、基地局は、システム情報を介してＡＣＢ（Ａｃｃｅｓｓ  Ｃｌａｓｓ  Ｂａｒｒｉｎｇ）関連情報を放送することができる。システム情報は、システム情報ブロック（ＳＩＢ）タイプ２である。
【００９０】
ＳＩＢ類型１は、以下の表のようなＡＣＢ関連情報を含むことができる。
【００９１】
【表１】
2020519041.tif 000003
【００９２】
一方、ＵＥ１は、ＩＭＳサービス、例えば、ＶｏＬＴＥによる呼（ｃａｌｌ）のモバイル発生（ｍｏｂｉｌｅ  ｏｒｉｅｎｔｉｎｇ）を決定してサービス要求メッセージを生成することができる。同様に、ＵＥ２は、一般データのモバイル発生を決定してサービス要求メッセージを生成することができる。
【００９３】
次に、ＵＥ１は、ＲＲＣ接続要求メッセージを生成することができる。同様に、ＵＥ２は、ＲＲＣ接続要求メッセージを生成することができる。
【００９４】
一方、ＵＥ１は、アクセス禁止チェック（即ち、ＡＣＢが適用されるかどうか）を実行することができる。同様に、ＵＥ２は、アクセス禁止チェック（即ち、ＡＣＢが適用されるかどうか）を実行することができる。
【００９５】
ＡＣＢが適用されない場合、ＵＥ１とＵＥ２は、ＲＲＣ接続要求メッセージを各々送信することができる。しかし、ＡＣＢが適用される場合、ＵＥ１及びＵＥ２の両方とも、ＲＲＣ接続要求メッセージを各々送信しない。
【００９６】
アクセス禁止チェックは、次のように詳細に説明される。一般的に、１０個のアクセス等級（例えば、ＡＣ０、ＡＣ１、...及びＡＣ９）のうち少なくとも一つがＵＥにランダムに割り当てられることができる。例外的に、至急の（Ｕｒｇｅｎｔ）緊急アクセスの場合、ＡＣ１０が割り当てられる。このように、ランダムに割当されたアクセス等級の値は、ＵＥ１及びＵＥ２のそれぞれのＵＳＩＭに格納されることができる。以後、ＵＥ１とＵＥ２は、格納されたアクセス等級に基づいて、受信されたＡＣＢ関連情報に含まれている禁止ファクタを利用してアクセス等級が適用されたかどうかを検証することができる。アクセス禁止チェックは、各ＡＳ（Ａｃｃｅｓｓ  Ｓｔｒａｔｕｍ）層、即ち、ＵＥ１とＵＥ２のＲＲＣ層（ｒａｄｉｏ  ｒｅｓｏｕｒｃｅ  ｃｏｎｔｒｏｌ  ｌａｙｅｒ）で実行されることができる。
【００９７】
アクセス禁止チェックは、下記のように詳細に説明される。
【００９８】
ａｃ−ＢａｒｒｉｎｇＰｅｒＰＬＭＮ−Ｌｉｓｔは、ＵＥ１及びＵＥ２の各々が受信したＳＩＢ類型２に含まれることができ、上位層で選択されたＰＬＭＮに対応するｐｌｍｎ−ｉｄｅｎｔｉｔｙＩｎｄｅｘとマッチングされるＡＣ−ＢａｒｒｉｎｇＰｅｒＰＬＭＮエントリがａｃ−ＢａｒｒｉｎｇＰｅｒＰＬＭＮ−Ｌｉｓｔに含まれると、上位層により選択されたＰＬＭＮに対応するｐｌｍｎ−ｉｄｅｎｔｉｔｙＩｎｄｅｘとマッチングされるＡＣ−ＢａｒｒｉｎｇＰｅｒＰＬＭＮエントリが選択される。
【００９９】
次に、ＵＥ１及びＵＥ２がＲＲＣ接続要求を実行する場合、Ｔ３０３をＴｂａｒｒｉｎｇとして使用し、ａｃ−ＢａｒｒｉｎｇＦｏｒＭＯ−Ｄａｔａを禁止パラメータとして使用することで、アクセス禁止チェックを実行することができる。
【０１００】
禁止が決定されると、ＵＥ１及びＵＥ２のそれぞれのＡＳ（ＲＲＣ）層は、ＲＲＣ接続設定の失敗を上位層に通知できる。
【０１０１】
次に、このように、アクセスが禁止される場合、各ＡＳ（ＲＲＣ）層は、Ｔ３０２タイマまたはＴｂａｒｒｉｎｇタイマが実行中であるかどうかを決定することができる。タイマが実行中でない場合、Ｔ３０２タイマまたはＴｂａｒｒｉｎｇタイマが実行されることができる。
【０１０２】
一方、Ｔ３０２タイマまたはＴｂａｒｒｉｎｇタイマが実行される間に、ＡＳ（ＲＲＣ）層は、該当セルに対する全てのアクセスが禁止されたと見なす。
【０１０３】
前述したように、ネットワーク過負荷及び混雑状況で、基地局は、ＡＣＢ関連情報をＵＥに提供できる。その後、ＵＥは、ＵＳＩＭに格納されたアクセスクラスに基づいて受信されたＡＣＢ情報に含まれている禁止ファクタを使用してセルへのアクセスが禁止されるかをチェックすることができる。アクセス禁止チェックを介して、最終的に、アクセス試行（ａｃｃｅｓｓ  ａｔｔｅｍｐｔ）が実行されない。即ち、アクセス禁止チェックを介して、該当セルへのアクセスが禁止された場合、ＵＥはアクセスを試みないで、該当セルへのアクセスが禁止されない場合、ＵＥはアクセスを試みる。アクセス禁止チェックは、ＡＳ層で実行される。ここで、アクセス試行は、ＵＥのＡＳ（ＲＲＣ）層がＲＲＣ接続要求メッセージを基地局に送信することを意味する。
【０１０４】
一方、アクセス禁止チェックは、例えば、発信呼、発信データ、発信ＩＭＳ音声及び発信ＩＭＳビデオのようなＵＥの一般的なモバイル発信（ＭＯ：ｍｏｂｉｌｅ  ｏｒｉｇｉｎａｔｉｎｇ）サービスを実行することができる。即ち、ＡＣＢは、全ての応用プログラムのアクセスに適用されることができる（しかし、緊急サービスまたはページングに対する応答は除く）。
【０１０５】
発信呼、発信データ、発信ＩＭＳ音声及び発信ＩＭＳビデオのような一般的なモバイル発信（ＭＯ）サービスを差別化する方法として、データ通信のためのアプリケーション特定混合制御（ＡＣＤＣ：ａｐｐｌｉｃａｔｉｏｎ  ｓｐｅｃｉｆｉｃ  ｃｏｎｇｅｓｔｉｏｎ  ｃｏｎｔｒｏｌ）が提案される。
【０１０６】
図７は、データ通信のためのアプリケーション特定混雑制御（ＡＣＤＣ）に対するアクセス禁止チェックの例を示す。
【０１０７】
図７を参照すると、まず、基地局は、ＳＩＢを介してＵＥにＡＣＤＣ禁止情報（ｂａｒｒｉｎｇ  ｉｎｆｏｒｍａｔｉｏｎ）を提供することができる。
【０１０８】
一方、特定のアプリケーションがＵＥで実行され、データ通信サービスが特定の応用アプリケーションにより必要な場合、特定応用プログラムの実行を制御するための応用層は、応用属性関連情報をＮＡＳ層（ｎｏｎ−ａｃｃｅｓｓ  ｓｔｒａｔｕｍ  ｌａｙｅｒ）に提供できる。
【０１０９】
その後、応用層から受信された応用属性関連情報に基づいて、ＵＥのＮＡＳ層は、ＡＣＤＣに対する応用カテゴリを決定することができる。
【０１１０】
次に、サービス接続（サービス要求メッセージの送信または拡張サービス要求メッセージの送信）のためのサービス要求手順を始める場合、ＵＥのＮＡＳ層は、ＡＳ層（即ち、ＲＲＣ層）に応用カテゴリに対する情報を伝達（ｄｅｌｉｖｅｒ）することができる。
【０１１１】
ＮＡＳ層のサービス要求手順（サービス要求メッセージの送信または拡張サービス要求メッセージの送信）を実行する前に、ネットワークから受信した応用カテゴリとＡＣＤＣ禁止情報に基づいて、ＡＳ層（例えば、ＲＲＣ層）は、ＡＣＤＣ禁止チェック（ｂａｒｒｉｎｇ  ｃｈｅｃｋ）を実行することでサービス要求手順を許容するかどうかを決定することができる。
【０１１２】
ＡＣＤＣ禁止チェックの結果として禁止対象でなくて許容されると判断されると、ＵＥのＡＳ層（即ち、ＲＲＣ層）は、ＲＲＣ接続要求メッセージを基地局に送信できる。
【０１１３】
前述したように、ＡＣＤＣを介してＵＥで現在実行中であるアプリケーションが要求するサービス要求は、区別を介して許容または禁止されることができる。
【０１１４】
一方、ＮＧ−ＲＡＮは、ＲＡＣＨバックオフ、ＲＲＣ接続拒否、ＲＲＣ接続解除及びＵＥ基盤アクセス禁止メカニズムのような過負荷及びアクセス制御機能をサポートすることができる。一つの統合されたアクセス制御フレームワークがＮＲに適用されることができる。それぞれの識別されたアクセス試行に対して一つのアクセスカテゴリ（ａｃｃｅｓｓ  ｃａｔｅｇｏｒｙ）及び一つ以上のアクセスＩＤ（Ｉｄｅｎｔｉｔｉｅｓ）が選択されることができる。ＮＧ−ＲＡＮは、アクセスカテゴリ及びアクセスＩＤと関連した禁止制御情報を放送することができ、ＵＥは、放送された禁止情報及び選択されたアクセスカテゴリ及びアクセスＩＤに基づいて、識別されたアクセス試行が許可されるかどうかを決定することができる。同じＮＧ−ＲＡＮを共有する多数のコアネットワークの場合、ＮＧ−ＲＡＮは、各ＰＬＭＮに対する放送制御情報を個別的に提供する。統合アクセス制御フレームワークは、全てのＵＥ状態に適用可能である。ＵＥ状態は、ＲＲＣ＿ＩＤＬＥ、ＲＲＣ＿ＩＮＡＣＴＩＶＥまたはＲＲＣ＿ＣＯＮＮＥＣＴＥＤ状態を含むことができる。ＲＲＣ＿ＩＤＬＥで、ＵＥ  ＮＡＳは、アクセスカテゴリをＲＲＣに通知し、接続要求は、ｇＮＢが要求を拒絶するかどうかを決定することができるようにする一部情報を含む。
【０１１５】
オペレータのポリシーに基づいて、５Ｇシステムは、アクセスＩＤ及びアクセスカテゴリによって変わる関連禁止パラメータを使用してＵＥがネットワークにアクセスすることが防止（ｐｒｅｖｅｎｔ）可能でなければならない。アクセスＩＤは、表２に羅列された通りＵＥで構成される。このようなアクセスＩＤは、いつでも禁止されることができる。
【０１１６】
【表２】
2020519041.tif 000004
【０１１７】
アクセスカテゴリは、表３に羅列された通り、アクセス試行の類型及びＵＥと関連した条件の組み合わせにより定義される。アクセスカテゴリ０は、アクセスＩＤと関係なく、禁止されない。ネットワークは、ページングを送るかどうかを制御することでアクセスカテゴリ０に関連したアクセス試行の量を制御することができる。
【０１１８】
【表３】
2020519041.tif 000005
【０１１９】
一つ以上のアクセスＩＤと一つのアクセスカテゴリのみが選択されてアクセス試行のためにテストされる。５Ｇネットワークは、ＲＡＮの一つ以上の領域で禁止制御情報（即ち、アクセスＩＤ及びアクセスカテゴリと関連した禁止パラメータのリスト）が放送可能でなければならない。ＵＥの構成及び放送禁止制御情報（ｂｒｏａｄｃａｓｔ  ｂａｒｒｉｎｇ  ｃｏｎｔｒｏｌ  ｉｎｆｏｒｍａｔｉｏｎ）からＵＥが受信する禁止パラメータに基づいて、ＵＥは、特定の新規アクセス試行が許容されるかどうかが決定可能でなければならない。同じＲＡＮを共有する多重コアネットワークの場合、ＲＡＮは、互いに異なるコアネットワークに対して個別的にアクセス制御が適用可能でなければならない。統合アクセス制御フレームワークは、Ｅ−ＵＴＲＡを使用する５Ｇ  ＣＮにアクセスするＵＥ及びＮＲを使用して５Ｇ  ＣＮにアクセスするＵＥの全てに適用可能でなければならない。
【０１２０】
前述したように、新しい５Ｇ  ＮＲアクセスカテゴリがアクセス制御に適用される。新しい５Ｇ  ＮＲアクセスカテゴリが適用されるにつれて、４Ｇ  ＬＴＥアクセス制御メカニズムをＮＲに何らの修正なしで適用することはできない。例えば、ＵＥがＥ−ＵＴＲＡを介して５Ｇ−ＣＮに接続される場合、ＵＥのＮＡＳ層及びＵＥが接続されたＡＭＦは、ＮＲ  ＮＡＳシグナリングメッセージを交換する。５Ｇ−ＣＮに接続されたサービング基地局（ｅＮＢ）は、向上したＬＴＥシグナリングメッセージをサポートし、またはＬＴＥメッセージのみをサポートする必要がある。後者は、ＵＥ及びｅＮＢのＲＲＣ層がレガシーＬＴＥ  ＲＲＣメッセージを交換することができるという点でｅＮＢサービング５Ｇ−ＣＮの修正の影響（ｍｏｄｉｆｉｃａｔｉｏｎ  ｉｍｐａｃｔ）を最小化するために好まれる。ここで、ＵＥにおける問題は、ＮＡＳ層動作がＮＲプロトコルに基づいており、ＲＲＣ層動作がＬＴＥプロトコルに基づいていることである。４Ｇ  ＬＴＥのＲＲＣ層は、アクセス制御のためにＮＡＳ層でのＡＣＤＣカテゴリ、確立原因（ｅｓｔａｂｌｉｓｈｍｅｎｔ  ｃａｕｓｅ）、呼類型（ｃａｌｌ  ｔｙｐｅ）、またはＥＡＢ指示のようなパラメータを要求することができる。したがって、Ｅ−ＵＴＲＡを介して５Ｇ−ＮＡＳに接続されたＵＥは、アクセスカテゴリを一つ以上のＬＴＥアクセス制御パラメータに変換する互換性動作（ｃｏｍｐａｔｉｂｌｅ  ｏｐｅｒａｔｉｏｎ）のための機能を要求することができる。
【０１２１】
その逆の場合にも、同じ問題が発生できる。ＵＥがサービングｇＮＢを介して４Ｇ−ＣＮに接続される場合、ＵＥのＮＡＳ層及びＵＥが接続されたＭＭＥは、ＬＴＥ  ＮＡＳシグナリングメッセージを交換する。ここで、ＵＥにおける問題は、ＮＡＳ層動作がＬＴＥプロトコルに基づいており、ＲＲＣ層動作がＮＲプロトコルに基づいているとのことである。５ＧのＲＲＣ層は、アクセス制御のためにＮＡＳ層からアクセスカテゴリを要求することができる。したがって、サービングｇＮＢを介して４Ｇ−ＮＡＳに接続されたＵＥは、一つ以上のＬＴＥアクセス制御パラメータを一つ以上のアクセスカテゴリに変換するための互換性動作のための機能を要求することができる。即ち、ＮＲ及びｅＬＴＥの両方ともに対して、アクセスカテゴリ／アクセスＩＤ（ｉｄｅｎｔｉｔｉｅｓ）及び確立原因の値の間のマッピングが必要である。
【０１２２】
以下、本発明の実施例によってＵＥがセルへのアクセスを実行する方法及びこれをサポートする装置を詳細に説明する。本発明の一実施例によると、ＵＥは、Ｅ−ＵＴＲＡを使用して５Ｇ−ＣＮにアクセスできる。例えば、５Ｇ−ＣＮは、ＡＭＦを含むことができ、Ｅ−ＵＴＲＡは、ｅＮＢを含むことができる。その代案として、本発明の一実施例によると、ＵＥは、ＮＲノードを使用して４Ｇ−ＣＮにアクセスできる。例えば、４Ｇ−ＣＮは、ＭＭＥを含むことができ、ＮＲノードは、ｇＮＢを含むことができる。
【０１２３】
５Ｇ−ＣＮに接続されたＵＥは、サービングノードがｅＮＢかまたはｇＮＢかにかかわらずＡＭＦと５Ｇ  ＮＡＳシグナリングメッセージを交換することができる。同様に、４Ｇ−ＣＮに接続されたＵＥは、サービングノードがｅＮＢかまたはｇＮＢかにかかわらず４Ｇ  ＮＡＳシグナリングメッセージをＭＭＥと交換できる。本発明の一実施例によると、サービングノードがｅＮＢである場合、ｅＮＢ及びＵＥは、アクセス制御のためにＬＴＥ  ＲＲＣメッセージを交換することができる。それに対し、サービングノードがｇＮＢである場合、ｇＮＢ及びＵＥは、アクセス制御のためにＮＲ  ＲＲＣメッセージを交換することができる。このような方式により、５Ｇ−ＣＮをサービスするｅＮＢまたは４Ｇ−ＣＮをサービスするｇＮＢとＵＥでの修正の影響が最小化されることができる。ＵＥ  ＲＲＣは、接続されたサービングノード（例えば、接続されたサービングノードがＬＴＥシグナリングを使用するｅＮＢかまたはＮＲシグナリングを使用するｇＮＢか）にのみ関連し、ＵＥ  ＮＡＳ層は、コアネットワークのＲＡＴ情報（例えば、コアネットワークが４Ｇ−ＣＮかまたは５Ｇ−ＣＮか）にのみ関連する。したがって、アクセス制御をサポートするためにＵＥとｅＮＢとの間のどのような修正も要求されず、５Ｇ−ＣＮに接続されたｅＮＢに対する修正が要求されない。それをサポートするために、ＵＥは、ＬＴＥアクセス制御メカニズムをサポートするためにＮＲアクセス制御パラメータからＬＴＥアクセス制御パラメータへのパラメータ変換のためのマッピングテーブルを維持することができる。例えば、ＬＴＥアクセス制御メカニズムには、ＡＣＢ、ＥＡＢ（Ｅｘｔｅｎｄｅｄ  Ａｃｃｅｓｓ  Ｂａｒｒｉｎｇ）、ＳＳＡＣ（Ｓｅｒｖｉｃｅ  Ｓｐｅｃｉｆｉｃ  Ａｃｃｅｓｓ  Ｃｏｎｔｒｏｌ）またはＡＣＤＣのうち少なくとも一つが含まれる。同様に、アクセス制御をサポートするためにＵＥとｇＮＢとの間のどのような修正も要求されず、４Ｇ−ＣＮに接続されたｇＮＢに対するどのような修正も要求されない。それをサポートするために、ＵＥは、ＮＲアクセス制御メカニズムをサポートするためにＬＴＥアクセス制御パラメータからＮＲアクセス制御パラメータへのパラメータ変換のためのマッピングテーブルを維持することができる。例えば、ＮＲアクセス制御メカニズムは、アクセスカテゴリを含む。
【０１２４】
図８は、本発明の実施例によってＥ−ＵＴＲＡを介して５Ｇ−ＣＮに接続されたＵＥに対するアクセス制御メカニズムを示すブロック図である。
【０１２５】
図８を参照すると、ＵＥは、ＬＴＥアクセス制御メカニズムをサポートするためにＮＲアクセス制御パラメータからＬＴＥアクセス制御パラメータへのパラメータ変換のためのマッピングテーブルを維持することができる。マッピングテーブルは、ＵＥのＮＡＳ層で維持される。
【０１２６】
第１のステップにおいて、ＵＥは、第１のシステム（または、第１のＲＡＴ）のセルにキャンプオン（ｃａｍｐ  ｏｎ）できる。ＵＥは、第１のシステムから禁止情報（ｂａｒｒｉｎｇ  ｉｎｆｏｒｍａｔｉｏｎ）を受信することができる。第１のシステム（または、第１のＲＡＴ）は、ＬＴＥシステムである。禁止情報は、禁止ファクタ、禁止時間またはビットマップのうち少なくとも一つを含むことができる。
【０１２７】
第２のステップにおいて、セルへのアクセスがＬＴＥシステムに対するＮＲアクセスカテゴリに対して開始されると、ＵＥは、ＮＲアクセスカテゴリをマッピングテーブルに基づいて一つ以上のＬＴＥアクセス制御パラメータに変換できる。ＬＴＥアクセス制御パラメータは、確立原因、呼類型、ＥＡＢ指示またはＡＣＤＣカテゴリのうち少なくとも一つを含むことができる。ＮＲアクセスカテゴリは、表３に列挙されたＵＥと関連した条件及びアクセス試行類型の組み合わせにより定義されることができる。例えば、ＵＥは、マッピングテーブルを使用して一つ以上のＮＲアクセスカテゴリを一つ以上のＬＴＥアクセス制御パラメータにマッピングできる。例えば、マッピングテーブルは、ＬＴＥシステムまたはＮＲシステムから受信されることができ、以後、マッピングテーブルは、ＵＥにより格納されることができる。例えば、マッピングテーブルは、ＵＥにより事前に構成されることができる
【０１２８】
第３のステップにおいて、ＵＥは、一つ以上のＬＴＥアクセス制御パラメータ及び禁止情報を使用してセルへのアクセスが禁止されるかどうかを判断することができる。一つ以上のＬＴＥアクセス制御パラメータは、一つ以上のＮＲアクセスカテゴリからマッピングテーブルに基づいて、変換、マッピングまたは生成されることができる。
【０１２９】
その代案として、ＵＥが第２のシステム（または、第２のＲＡＴ）のセルにキャンプオンし、セルへのアクセスが第２のシステム（または、第２のＲＡＴ）に対するＮＲアクセスカテゴリに対して開始されると、ＵＥは、ＮＲアクセスカテゴリをマッピングテーブルに基づいて一つ以上のＬＴＥアクセス制御パラメータに変換しない。第２のシステム（または、第２のＲＡＴ）は、ＮＲシステムである。したがって、ＵＥは、マッピングテーブルを使用せずに、一つ以上のＮＲアクセスカテゴリ及び禁止情報を使用することで、セルへのアクセスが禁止されるかどうかを判断することができる。
【０１３０】
第４のステップにおいて、セルへのアクセスが禁止されない場合、ＵＥは、セルへのアクセスを要求することができる。
【０１３１】
例えば、ＵＥがＥ−ＵＴＲＡを介して５Ｇ−ＣＮに接続される場合、次のＬＴＥアクセス制御メカニズムがサポートされなければならない。
【０１３２】
本発明の一実施例によると、ＵＥは、ＳＩＢ２で受信された禁止情報に基づいてＡＣＢ（Ａｃｃｅｓｓ  Ｃｌａｓｓ  Ｂａｒｒｉｎｇ）を実行することができる。ＵＥがＲＲＣ接続確立を実行する場合、ＵＥ  ＲＲＣ層は、セルに対するアクセスが許容されるかをチェックすることができる。そのために、ＵＥ  ＮＡＳ層は、ＵＥ  ＲＲＣ層に対する呼類型（即ち、ＭＯシグナリング、緊急呼）を提供しなければならず、これをＲＲＣ確立原因にマッピングしなければならない。ＮＡＳが提供するパラメータは、ＡＣＢをサポートする呼類型及び確立原因に変換されることができる。ＮＡＳが提供するパラメータは、一つ以上のＮＲアクセスカテゴリである。
【０１３３】
本発明の一実施例によると、ネットワークオペレータは、ネットワークオーバーロード制御のためのＥＡＢで構成されたＵＥにＥＡＢを実行することができ、例えば、ネットワークは、混雑（ｃｏｎｇｅｓｔｉｏｎ）が発生する場合、アクセスを制限（ｒｅｓｔｒｉｃｔ）することができる。ＮＡＳが提供するパラメータは、ＥＡＢをサポートするためにＥＡＢ指示に変換されることができる。ＮＡＳが提供するパラメータは、一つ以上のＮＲアクセスカテゴリである。
【０１３４】
本発明の一実施例によると、ＡＣＤＣは、特定アプリケーションからのアクセス試行を防止（ｐｒｅｖｅｎｔ）することができる。ＮＡＳが提供するパラメータは、ＡＣＤＣをサポートするためのＡＣＤＣカテゴリに変換されることができる。ＮＡＳが提供するパラメータは、一つ以上のＮＲアクセスカテゴリである。
【０１３５】
本発明の一実施例によると、低い優先順位のＮＡＳシグナリングのために構成されたＵＥは、ＵＥがＲＲＣ接続確立またはＲＲＣ再開（ｒｅｓｕｍｅ）を実行する場合、これを指示することができる。ネットワークが要求を拒否すると、ネットワークは、ＵＥが与えられた時間の間にアクセスを試みることができないようにタイマを送信することができる。ＮＡＳで提供するパラメータは、遅延許容アクセス（ｄｅｌａｙ  ｔｏｌｅｒａｎｔ  ａｃｃｅｓｓ）をサポートする呼類型に変換されることができる。ＮＡＳが提供するパラメータは、一つ以上のＮＲアクセスカテゴリである。
【０１３６】
本発明の一実施例によると、Ｅ−ＵＴＲＡＮは、ＩＭＳ電話サービス（即ち、ＭＭＴＥＬ）に対するＳＳＡＣをサポートすることができる。ＵＥがＩＭＳエンジンで禁止状態（ｂａｒｒｉｎｇ  ｓｔａｔｕｓ）を判断し、ＩＭＳエンジンが５Ｇに対してＳＳＡＣをサポートすると、ＳＳＡＣは、サービスノードにかかわらずサポートされなければならない。ＩＭＳエンジンが５Ｇに対してレガシーＳＳＡＣ作業をサポートすると、ＲＲＣに何らの影響を与えずにＳＳＡＣがサポートされる。
【０１３７】
ＮＡＳ層は、ＮＲのＲＲＣ層にＮＲアクセスカテゴリ情報を提供し、大部分のＬＴＥアクセス制御メカニズムは、ＮＡＳ情報に基づいて実行されるため、ＮＡＳ層は、マッピングテーブルを維持することができる。
【０１３８】
図９は、本発明の一実施例によってＮＲ無線アクセス（ＮＲ  Ｒａｄｉｏ  Ａｃｃｅｓｓ、ＮＲ）を介して４Ｇ−ＣＮに接続されたＵＥに対するアクセス制御メカニズムを示すブロック図である。
【０１３９】
図９を参照すると、ＵＥは、ＮＲアクセス制御メカニズムをサポートするためにＬＴＥアクセス制御パラメータからＮＲアクセス制御パラメータへのパラメータ変換のためのマッピングテーブルを維持することができる。マッピングテーブルは、ＵＥのＮＡＳ層で維持される。
【０１４０】
第１のステップにおいて、ＵＥは、第２のシステム（または、第２のＲＡＴ）のセルにキャンプオンできる。ＵＥは、第２のシステムから禁止情報を受信することができる。第２のシステム（または、第２のＲＡＴ）は、ＮＲシステムである。禁止情報は、禁止ファクタ、禁止時間またはビットマップのうち少なくとも一つを含むことができる。
【０１４１】
第２のステップにおいて、セルへのアクセスがＮＲシステムに対するＬＴＥアクセス制御パラメータに対して開始されると、ＵＥは、ＬＴＥアクセス制御パラメータをマッピングテーブルに基づいて一つ以上のＮＲアクセスカテゴリに変換できる。ＬＴＥアクセス制御パラメータは、確立原因、呼類型、ＥＡＢ指示またはＡＣＤＣカテゴリのうち少なくとも一つを含むことができる。ＮＲアクセスカテゴリは、表３に列挙された通り、ＵＥと関連した条件及びアクセス試行の類型の組み合わせにより定義されることができる。例えば、ＵＥは、マッピングテーブルを使用して一つ以上のＬＴＥアクセス制御パラメータを一つ以上のＮＲアクセスカテゴリにマッピングすることができる。例えば、マッピングテーブルは、ＬＴＥシステムまたはＮＲシステムから受信されることができ、以後、マッピングテーブルは、ＵＥにより格納されることができる。例えば、マッピングテーブルは、ＵＥにより事前に構成されることができる。
【０１４２】
第３のステップにおいて、ＵＥは、一つ以上のＮＲアクセスカテゴリ及び禁止情報を使用してセルへのアクセスが禁止されるかどうかを判断することができる。一つ以上のＮＲアクセスカテゴリは、マッピングテーブルに基づいて、一つ以上のＬＴＥアクセス制御パラメータから変換、マッピングまたは生成されることができる。
【０１４３】
その代案として、ＵＥが第１のシステム（または、第１のＲＡＴ）のセルにキャンプオンし、セルへのアクセスが第１のシステム（または、第１のＲＡＴ）に対するＬＴＥアクセス制御パラメータに対して開始されると、ＵＥは、マッピングテーブルに基づいてＬＴＥアクセス制御パラメータを一つ以上のＮＲアクセスカテゴリに変換しない。第１のシステム（または、第１のＲＡＴ）は、ＬＴＥシステムである。したがって、ＵＥは、マッピングテーブルを使用せずに、一つ以上のＬＴＥアクセス制御パラメータ及び禁止情報を使用することで、セルへのアクセスが禁止されるかどうかを判断することができる。
【０１４４】
第４のステップにおいて、セルへのアクセスが禁止されない場合、ＵＥは、セルへのアクセスを要求することができる。
【０１４５】
図１０は、本発明の一実施例に係るＵＥのアクセス制御メカニズムを示す流れ図である。
【０１４６】
図１０を参照すると、ステップＳ１０００において、ＵＥは、加入者識別モジュール（ＳＩＭ）カードまたは非揮発性メモリからマッピングテーブルを検索（ｒｅｔｒｉｅｖｅ）することができる。マッピングテーブルは、ＵＥにより事前に構成されることができる。マッピングテーブルは、ネットワークから構成されることができる。例えば、ネットワークは、ＮＲシステム及びＬＴＥシステムを含むことができる。マッピングテーブルは、５Ｇ  ＮＲパラメータを４Ｇ  ＬＴＥパラメータに変換し、またはマッピングするためものである。マッピングテーブルは、４Ｇ  ＬＴＥパラメータを５Ｇ  ＮＲパラメータに変換し、またはマッピングするためものである。マッピングテーブルがＵＥにより事前に構成されているとしても、ＵＥは、ネットワークからマッピングテーブルを受信することができる。このような場合、ステップＳ１０００で事前に構成されたマッピングテーブルが存在し、同じパラメータが存在すると、ネットワークから受信された値が優先順位を有する。例えば、ＵＥは、ＭＴＣ（ｍａｃｈｉｎｅ  ｔｙｐｅ  ｃｏｍｍｕｎｉｃａｔｉｏｎ）機器で構成されることができる。
【０１４７】
ステップＳ１０１０において、ＵＥは、ＭＩＢ、ＳＩＢ及びＳＩメッセージを適用することができる。ＵＥのＲＲＣ層は、アクセス制御だけでなく、他の機能のための情報を格納することができる。
【０１４８】
ステップＳ１０２０において、ＵＥは、モバイル発信シグナリング（ｍｏｂｉｌｅ  ｏｒｉｇｉｎａｔｅｄ  ｓｉｇｎａｌｌｉｎｇ）をトリガすることができる。
【０１４９】
ステップＳ１０３０において、ＵＥは、パラメータ変換（または、パラメータマッピング）を実行するかどうかを判断することができる。
【０１５０】
ＵＥがパラメータ変換（または、パラメータマッピング）を実行すると判断すると、ステップＳ１０４０において、ＵＥは、マッピングテーブルを使用して４Ｇ  ＬＴＥパラメータと５Ｇ  ＮＲパラメータを相互変換またはマッピングする。ＮＡＳトリガイベントに対して、ＵＥ  ＮＡＳがアクセスのためにＵＥ  ＡＳに要求する場合、ＵＥ  ＮＡＳは、ＡＳ原因の値にマッピングを実行することができる。また、ＵＥ  ＮＡＳは、ＡＳトリガイベントに対する原因の値を提供することもできる。緊急（ｅｍｅｒｇｅｎｃｙ）、ｈｉｇｈＰｒｉｏｒｉｔｙＡｃｃｅｓｓ、ｍｔ−Ａｃｃｅｓｓ、ｍｏ−Ｓｉｇｎａｌｉｎｇ、ｍｏ−Ｄａｔａまたはｍｏ−ＶｏｉｃｅＣａｌｌ−ｖ１２８０のような一つ以上のＬＴＥ確立原因の値がＮＲに対して再使用されることができる。
【０１５１】
ＵＥがパラメータ変換（または、パラメータマッピング）を実行しないと判断すると、ＵＥは、４Ｇ  ＬＴＥパラメータと５Ｇ  ＮＲパラメータを相互変換またはマッピングしない。
【０１５２】
例えば、ＵＥがＥ−ＵＴＲＡを介して５Ｇ−ＣＮに接続された場合、ＵＥは、マッピングテーブルを使用してＮＲアクセス制御パラメータ‘アクセスカテゴリ＝２’をＬＴＥパラメータ‘確立原因＝ＭＯシグナリング、呼類型＝発信シグナリング’に変換できる。以後、ＵＥがアクセスを試みると、ＵＥは‘設立原因＝ＭＯシグナリング’を指示するＲＲＣ接続確立要求メッセージを送信することができる。
【０１５３】
例えば、ＵＥがＥ−ＵＴＲＡを介して５Ｇ−ＣＮに接続された場合、ＵＥは、マッピングテーブルを使用してＮＲアクセス制御パラメータ‘アクセスカテゴリ＝４、アクセスカテゴリ＝６’をＬＴＥパラメータ‘確立原因＝遅延許容（Ｄｅｌａｙ  ｔｏｌｅｒａｎｔ）、呼類型＝発信シグナリング（ｏｒｉｇｉｎａｔｉｎｇ  ｓｉｇｎａｌｉｎｇ）’に変換またはマッピングすることができる。以後、ＵＥがアクセスを試みることが許容されると、ＵＥは‘確立原因＝遅延許容’を指示するＲＲＣ接続確立メッセージを要求することができる。ＵＥの要求がｅｘｔｅｎｄｅｄＷａｉｔＴｉｍｅで拒絶されると、ＵＥのＲＲＣ層は、拡張されたＷａｉｔＴｉｍｅをＵＥのＮＡＳ層に転送（ｆｏｒｗａｒｄ）することができ、また、失敗に対して通報できる。
【０１５４】
例えば、ＵＥがＮＧ−ＲＡＮを介して４Ｇ−ＣＮに接続された場合、ＵＥは、マッピングテーブルを使用してＬＴＥパラメータ‘確立原因＝ＭＯシグナリング、呼類型＝発信シグナリング’をＮＲアクセス制御パラメータ‘アクセスカテゴリ＝２’に変換またはマッピングすることができる。以後、ＵＥがアクセスを試みることが許容されると、ＵＥは‘アクセスカテゴリ＝２’を指示するＲＲＣ接続確立要求メッセージを送信することができる。
【０１５５】
例えば、ＵＥがＮＧ−ＲＡＮを介して４Ｇ−ＣＮに接続された場合、ＵＥは、マッピングテーブルを使用してＬＴＥパラメータ‘確立原因＝遅延許容、呼類型＝発信シグナリング’をＮＲアクセス制御パラメータ‘アクセスカテゴリ＝アクセスカテゴリ＝６’に変換またはマッピングすることができる。以後、ＵＥがアクセスを試みることが許容されると、ＵＥは‘アクセスカテゴリ＝４、アクセスカテゴリ＝６’を指示するＲＲＣ接続確立メッセージを要求することができる。ＵＥの要求がｅｘｔｅｎｄｅｄＷａｉｔＴｉｍｅで拒絶されると、ＵＥのＲＲＣ層は、拡張されたＷａｉｔＴｉｍｅをＵＥのＮＡＳ層に転送でき、また、失敗に対して通報できる。
【０１５６】
例えば、ＵＥがＥ−ＵＴＲＡを介して５Ｇ−ＣＮに接続する場合、ＵＥは、ＲＡＴ間ハンドオーバを実行してＥ−ＵＴＲＡを介して４Ｇ−ＣＮに接続すると仮定する。ＵＥがモバイル発信シグナリングをトリガすると、ＵＥは、ＬＴＥパラメータを提供するため、マッピングテーブルを参照する必要がない。その後、ＵＥは、アクセス制限を検査して許容されると、ＲＲＣ接続設定メッセージを要求する。
【０１５７】
図１１は、ＵＥが本発明の一実施例によってセルへのアクセスを実行する方法を示すブロック図である。
【０１５８】
図１１を参照すると、ステップＳ１１１０において、ＵＥは、第１のシステムに対するアクセス制御情報を第１のシステムから受信することができる。第１のシステムに対するアクセス制御情報は、ＵＥのＮＡＳ（ｎｏｎ−ａｃｃｅｓｓ  ｓｔｒａｔｕｍ）層により提供されることができる。ＵＥは、第２のシステムの基地局を介して、第１のシステムのコアネットワークと接続されることができる。
【０１５９】
ステップＳ１１２０において、ＵＥは、第２のシステムのセルにキャンプオンできる。
【０１６０】
ステップＳ１１３０において、ＵＥは、第１のシステムに対するアクセス制御情報を第２のシステムに対するアクセス制御情報にマッピングすることができる。第１のシステムに対するアクセス制御情報は、少なくとも一つのＮＲアクセスカテゴリを含むことができる。第２のシステムに対するアクセス制御情報は、確立原因、呼類型、拡張アクセス禁止（ＥＡＢ：ｅｘｔｅｎｄｅｄ  ａｃｃｅｓｓ  ｂａｒｒｉｎｇ）指示子またはデータ通信のためのアプリケーション特定混雑制御（ＡＣＤＣ：Ａｐｐｌｉｃａｔｉｏｎ  ｓｐｅｃｉｆｉｃ  Ｃｏｎｇｅｓｔｉｏｎ  ｃｏｎｔｒｏｌ）カテゴリのうち少なくとも一つを含むことができる。
【０１６１】
また、ＵＥは、第１のシステムに対するアクセス制御情報を第２のシステムに対するアクセス制御情報にマッピングするためのマッピングテーブルを構成することができる。第１のシステムに対するアクセス制御情報は、構成されたマッピングテーブルに基づいて、ＵＥのＮＡＳ（ｎｏｎ−ａｃｃｅｓｓ  ｓｔｒａｔｕｍ）層により第２のシステムに対するアクセス制御情報にマッピングされることができる。マッピングテーブルは、ＵＥにより事前に構成されることができる。マッピングテーブルは、第１のシステムまたは第２のシステムから受信されることができる。第１のシステムまたは第２のシステムから受信されたマッピングテーブルは、ＵＥにより事前に構成されたマッピングテーブルより高い優先順位を有することができる。
【０１６２】
また、ＵＥは、第２のシステムから禁止ファクタ、禁止時間またはビットマップのうち少なくとも一つを含む情報を受信することができる。
【０１６３】
ステップＳ１１４０において、ＵＥは、第２のシステムに対してマッピングされたアクセス制御情報に基づいて第２のシステムのセルへのアクセスを実行することができる。第２のシステムのセルへのアクセスが禁止されない場合、第２のシステムのセルへのアクセスは、第２のシステムに対してマッピングされたアクセス制御情報に基づいて実行されることができる。
【０１６４】
第１のシステムは、ＮＲ無線アクセス（ＮＲ：ＮＲ  ｒａｄｉｏ  ａｃｃｅｓｓ）システムであり、第２のシステムは、ＬＴＥ（ｌｏｎｇ−ｔｅｒｍ  ｅｖｏｌｕｔｉｏｎ）システムである。その代案として、第１のシステムは、ＬＴＥ（ｌｏｎｇ−ｔｅｒｍ  ｅｖｏｌｕｔｉｏｎ）システムであり、第２のシステムは、ＮＲ無線アクセス（ＮＲ：ＮＲ  ｒａｄｉｏ  ａｃｃｅｓｓ）システムである。
【０１６５】
本発明の一実施例によると、ＵＥは、マッピングテーブルを使用して一つ以上のＮＲアクセスカテゴリと一つ以上のＬＴＥアクセス制御パラメータを相互にマッピングすることができる。したがって、ＵＥがＥ−ＵＴＲＡを介して５Ｇ−ＣＮに接続され、またはＵＥがＮＧ−ＲＡＮを介して４Ｇ−ＣＮに接続される場合、ＵＥ、基地局及びコアネットワーク間のシグナリング修正なしで、ＵＥは、アクセス制御を実行することができる。
【０１６６】
図１２は、本発明の実施例が具現化される無線通信システムのブロック図である。
【０１６７】
基地局１２００は、プロセッサ（ｐｒｏｃｅｓｓｏｒ）１２０１、メモリ（ｍｅｍｏｒｙ）１２０２及び送受信機（ｔｒａｎｓｃｅｉｖｅｒ）１２０３を含む。メモリ１２０２は、プロセッサ１２０１と接続され、プロセッサ１２０１を駆動するための多様な情報を格納する。送受信機１２０３は、プロセッサ１２０１と接続され、無線信号を送信及び／または受信する。プロセッサ１２０１は、提案された機能、過程及び／または方法を具現化する。前述した実施例における基地局の動作は、プロセッサ１２０１により具現化されることができる。
【０１６８】
端末１２１０は、プロセッサ１２１１、メモリ１２１２及び送受信機１２１３を含む。メモリ１２１２は、プロセッサ１２１１と接続され、プロセッサ１２１１を駆動するための多様な情報を格納する。送受信機１２１３は、プロセッサ１２１１と接続され、無線信号を送信及び／または受信する。プロセッサ１２１１は、提案された機能、過程及び／または方法を具現化する。前述した実施例における端末の動作は、プロセッサ１２１１により具現化されることができる。
【０１６９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現化される時、前述した技法は、前述した機能を遂行するモジュール（過程、機能など）で具現化されることができる。モジュールは、メモリに格納され、プロセッサにより実行されることができる。メモリは、プロセッサの内部または外部にあり、よく知られた多様な手段でプロセッサと連結されることができる。
【０１７０】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現化され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１７１】
前述した実施例は、多様な例を含む。通常の技術者であれば、発明の全ての可能な例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な例を組み合わせて判断しなければならない。
【図１】
2020519041.tif 000006
【図２】
2020519041.tif 000007
【図３】
2020519041.tif 000008
【図４】
2020519041.tif 000009
【図５】
2020519041.tif 000010
【図６】
2020519041.tif 000011
【図７】
2020519041.tif 000012
【図８】
2020519041.tif 000013
【図９】
2020519041.tif 000014
【図１０】
2020519041.tif 000015
【図１１】
2020519041.tif 000016
【図１２】
2020519041.tif 000017
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
無線通信におけるセルに端末がアクセス試行を実行する方法において、
ＮＲシステムに対するアクセスカテゴリに基づいて接続の確立をトリガするステップと、
前記接続の確立が前記ＮＲシステムに対する前記アクセスカテゴリに基づいてトリガされる場合、前記ＮＲシステムに対する前記アクセスカテゴリをＬＴＥ（Long Term Evolution）システムに対する確立原因にマッピングするステップと、
前記ＮＲシステムに対する前記アクセスカテゴリからマッピングされた前記確立原因を基地局に送信するステップと、を含む、方法。
【請求項２】
前記ＬＴＥシステムに対する前記確立原因に基づいて、前記セルにアクセス試行を実行するステップをさらに含む、請求項１に記載の方法。
【請求項３】
前記ＮＲシステムに対する前記アクセスカテゴリに基づいて、前記セルにアクセス試行を実行するステップをさらに含む、請求項１に記載の方法。
【請求項４】
前記セルへの前記アクセス試行が前記端末に対して許容される場合、前記確立原因は、前記基地局に送信される、請求項１に記載の方法。
【請求項５】
前記ＮＲシステムに対する前記アクセスカテゴリを決定するステップをさらに含む、請求項１に記載の方法。
【請求項６】
前記ＮＲシステムに対する前記アクセスカテゴリを前記ＬＴＥシステムに対する前記確立原因にマッピングするためのマッピングテーブルを構成するステップをさらに含む、請求項１に記載の方法。
【請求項７】
前記ＮＲシステムに対する前記アクセスカテゴリは、前記構成されたマッピングテーブルに基づいて、前記端末のＮＡＳ（Non-Access Stratum）層により、前記ＬＴＥシステムに対する前記確立原因にマッピングされる、請求項６に記載の方法。
【請求項８】
前記マッピングテーブルは、前記端末により事前構成される、請求項６に記載の方法。
【請求項９】
前記マッピングテーブルは、前記ＮＲシステムまたは前記ＬＴＥシステムから受信される、請求項６に記載の方法。
【請求項１０】
前記ＮＲシステムまたは前記ＬＴＥシステムから受信される前記マッピングテーブルは、前記端末により事前構成される前記マッピングテーブルより高い優先順位を有する、請求項９に記載の方法。
【請求項１１】
前記ＮＲシステムに対する前記アクセスカテゴリは、前記端末のＮＡＳ層により前記端末のＲＲＣ（Radio Resource Control）層に提供される、請求項１に記載の方法。
【請求項１２】
前記アクセスカテゴリからマッピングされる前記確立原因は、前記端末のＮＡＳ層により前記端末のＲＲＣ層に提供される、請求項１に記載の方法。
【請求項１３】
禁止ファクタ、禁止時間またはビットマップのうち少なくとも一つを含む禁止情報を基地局システムから受信するステップをさらに含む、請求項１に記載の方法。
【請求項１４】
前記端末は、前記ＮＲシステムのコアネットワークと接続される、請求項１に記載の方法。
【請求項１５】
無線通信におけるセルにアクセス試行を実行する端末において、
前記端末は、
メモリと、
送受信機と、
前記メモリ及び前記送受信機と接続されたプロセッサと、を含み、
前記プロセッサは、
ＮＲシステムに対するアクセスカテゴリに基づいて接続の確立をトリガし、
前記接続の確立が前記ＮＲシステムに対する前記アクセスカテゴリに基づいてトリガされる場合、前記ＮＲシステムに対する前記アクセスカテゴリをＬＴＥ（Long Term Evolution）システムに対する確立原因にマッピングし、
前記ＮＲシステムに対する前記アクセスカテゴリからマッピングされた前記確立原因を基地局に送信するように前記送受信機を制御するように構成される、端末。
【国際調査報告】
2020519041.tif 000018
2020519041.tif 000019